(57)【要約】【課題】注出詮のスコアを破断して形成する注出口において、液体注出時の脈動や跳ねを防止し、多量の液体を注出する際でも安定した注出が可能になり、予め注出口１０が形成された詮体１としても使用可能な脈動防止用注出口を提供する。【解決手段】注出口の形に添って形成されるスコア３を詮体１の天板２に設ける。該スコア３を破断することで開口される注出口１０を形成する。詮体１の天板２に、蓋体Ｑ方向に突出する突出部４を設ける。該突出部４に、縦長状の注出口１０を形成するスコア３を設ける。突出部４は、前記天板２の周囲縁近傍２Ａを残した略中央部位２Ｂを蓋体Ｑ方向に突出せしめて設ける。注出口１０の長手両端部が該天板２の周囲縁近傍２Ａに至るように前記スコア３を設ける。【選択図】図１
2006264739.tif 000002
【特許請求の範囲】
【請求項１】
容器口部に装着する詮体の天板に、注出口の形に添って形成されるスコアを設け、該スコアを破断することで開口される注出口において、詮体の天板に、液体注出方向に突出する突出部を設け、該突出部に、縦長状の注出口を形成するスコアを設け、注出口使用時の長手下端部を注ぎ孔とし、注出口使用時の長手上端部を息継ぎ部とすることを特徴とする脈動防止用注出口。
【請求項２】
前記突出部は、前記天板の周囲縁近傍を残した略中央部位を液体注出方向に突出せしめることで設けられ、前記注ぎ孔と息継ぎ部とが該天板の周囲縁近傍に至るように前記スコアを設けた請求項１記載の脈動防止用注出口。
【請求項３】
前記注出口の形状を縦長の略直線形状に形成すると共に、前記注ぎ孔を直線部分の幅よりも拡開した略円形状に形成し、且つ、前記息継ぎ部の幅を直線部分の幅よりも僅かに拡開するように形成した請求項１又は２記載の脈動防止用注出口。
【請求項４】
前記注出口の形状を縦長の略直線形状に形成すると共に、前記注ぎ孔を直線部分の幅よりも拡開した略円形状に形成し、且つ、前記息継ぎ部の幅を直線部分の幅よりも僅かに拡開するように形成し、注出口の長手中央に略円形の成形孔を設けた請求項１又は２記載の脈動防止用注出口。  
【請求項５】
容器口部に装着する詮体を設け、該詮体の天板に形成する注出口において、該詮体の天板に、液体注出方向に突出する突出部を設け、該突出部に縦長状の注出口を形成し、注出口使用時の長手下端部を注ぎ孔とし、注出口使用時の長手上端部を息継ぎ部とすることを特徴とする脈動防止用注出口。
【請求項６】
前記突出部は、前記天板の周囲縁近傍を残した略中央部位を前記液体注出方向に突出せしめることで設けられ、前記注ぎ孔と息継ぎ部とが該天板の周囲縁近傍に至るように形成した請求項５記載の脈動防止用注出口。
【請求項７】
前記注出口の形状を縦長の略直線形状に形成すると共に、前記注ぎ孔を直線部分の幅よりも拡開した略円形状に形成し、且つ、前記息継ぎ部の幅を直線部分の幅よりも僅かに拡開するように形成した請求項５又は６記載の脈動防止用注出口。
【発明の詳細な説明】
【技術分野】
【０００１】
本発明は、ペットボトルや瓶等の容器口部に装着する注出口において、容器から液体を注ぐ際に発生する液体の脈動や跳ねを防止することができる脈動防止用注出口に関する。
【背景技術】
【０００２】
ペットボトルから液体を注出する際に発生する注出液体の脈動を防止する脈動防止具が特許文献１に記載されている。この脈動防止具は、ペットボトルの注ぎ口の内側と、ペットボトルの内壁に沿って屈曲管状空気路を配し、液体注出時に、この屈曲管状空気路からペットボトルの内部に空気を通すことにより、脈動の発生するボトルネック部分での液体と空気との入れ替えを制御することで、注出液体の脈動を防止できるようにしたものである。
【０００３】
一方、瓶から注ぎ出される飲料を滑らかに注ぎ出す注ぎ口が特許文献２に記載されている。この注ぎ口は、瓶に直接口を付けて飲料物を飲む際に、液体の脈動を防止してのみ易くする構造である。この注ぎ口の構造によると、注ぎ口の内側に、瓶中からの液体流出部と瓶中への空気流入部を分離させる空気穴の開いた仕切りを設けることで脈動を防止する構造である。
【０００４】
更に、特許文献３には、比較的粘度の低い液体でも注ぎ口から適切な流量で注出可能になり、注ぎ口からの液切れが良くなる注出キャップが記載されている。この注出キャップの構成は、注ぎ口から円すい状に旋回させたノズルエレメントを延長し、このノズルエレメントの先端周りにクリアランスを形成したノズルを設けたものである。
【特許文献１】特開２００２−３０２１２２号公報
【特許文献２】特許第３５２０４４８号公報
【特許文献３】特開２００４−１８３６号公報
【発明の開示】
【発明が解決しようとする課題】
【０００５】
これらの注出口の構造は、いずれも、注出口の内部や先端に他の部材を設けることで、液体の脈動を防止するものである。そのため、注出詮に設けたスコアを破断して注出口を形成し使用する詮構造には、これら従来の注出構造を採用することは困難であった。
【０００６】
しかしながら、注出詮のスコアを破断して注出口を形成する構造は、現在、ペットボトルや瓶などの注出詮として極めて多く使用されているタイプの一つであることから、このタイプの注出口において、液体の脈動や跳ねを防止できる構造が望まれていた。
【０００７】
そこで当発明者は、スコアを破断する注出口を研究した結果、スコア部を設ける天板が、容器方向に凹んだ谷タイプと、天板が平板状の平タイプとが極めて多く採用されていることが判明した。更に、谷タイプの天板にスコアを設け、該スコアを破断して形成した注出口から、液体の注出状態を検証した結果、息継ぎをする際に、注出口の開口縁から周囲に液体が伝わることで二つの流れが生じ、この液体の流れが脈動や跳ねを発生させる原因の一つになっていることを突き止めた（図６（イ）参照）。
【０００８】
本発明は、係る研究結果に基づき前述の課題を解消すべく創出されたもので、特に、注出詮のスコアを破断して形成する注出口において、液体注出時の脈動や跳ねを防止し、多量の液体を注出する際でも安定した注出が可能になり、予め注出口１０が形成された詮体１として使用することもできる脈動防止用注出口の提供を目的とするものである。
【課題を解決するための手段】
【０００９】
本発明の第１の手段は、容器口部Ｐに装着する詮体１の天板２に、注出口１０の形に添って形成されるスコア３を設け、該スコア３を破断することで開口される注出口１０において、詮体１の天板２に、液体注出方向に突出する突出部４を設け、該突出部４に、縦長状の注出口１０を形成するスコア３を設け、注出口１０使用時の長手下端部を注ぎ孔１１とし、注出口１０使用時の長手上端部を息継ぎ部１２とすることにある。
【００１０】
第２の手段において、前記突出部４は、前記天板２の周囲縁近傍２Ａを残した略中央部位２Ｂを液体注出方向に突出せしめることで設けられ、前記注ぎ孔１１と息継ぎ部１２とが該天板２の周囲縁近傍２Ａに至るように前記スコア３を設けている。
【００１１】
第３の手段は、前記注出口１０の形状を縦長の略直線形状に形成すると共に、前記注ぎ孔１１を直線部分の幅よりも拡開した略円形状に形成し、且つ、前記息継ぎ部１２の幅を直線部分の幅よりも僅かに拡開するように形成している。
【００１２】
第４の手段は、前記注出口１０の形状を縦長の略直線形状に形成すると共に、前記注ぎ孔１１を直線部分の幅よりも拡開した略円形状に形成し、且つ、前記息継ぎ部１２の幅を直線部分の幅よりも僅かに拡開するように形成し、注出口１０の長手中央に略円形の成形孔を設けている。
【００１３】
第５の手段は、容器口部Ｐに装着する詮体１を設け、該詮体１の天板２に形成する注出口１０において、該詮体１の天板２に、液体注出方向に突出する突出部４を設け、該突出部４に縦長状の注出口１０を形成し、注出口１０使用時の長手下端部を注ぎ孔１１とし、注出口１０使用時の長手上端部を息継ぎ部１２とすることにある。
【００１４】
第６の手段において、前記突出部４は、前記天板２の周囲縁近傍２Ａを残した略中央部位２Ｂを前記液体注出方向に突出せしめることで設けられ、前記注ぎ孔１１と息継ぎ部１２とが該天板２の周囲縁近傍２Ａに至るように形成している。
【００１５】
第７の手段は、前記注出口１０の形状を縦長の略直線形状に形成すると共に、前記注ぎ孔１１を直線部分の幅よりも拡開した略円形状に形成し、且つ、前記息継ぎ部１２の幅を直線部分の幅よりも僅かに拡開するように形成したことを課題解決の手段とする。
【発明の効果】
【００１６】
本発明の請求項１により、特に、注出詮のスコアを破断して形成する注出口に使用することができる。この結果、例えばヒンジ付きキャップのように、醤油、めんつゆなどの粘度の低い液体から、焼肉のたれ、食用油のような粘度の高い液体まで抽出するような極めて多く使用されているタイプの注出詮において、液体注出時の脈動を防止することが可能になった。
【００１７】
請求項２によると、突出部４に設ける注ぎ孔１１と息継ぎ部１２とを、該天板２の周囲縁近傍２Ａに至るように設けたことで、注出口１０の突出した部分が液体のガイドの役目を果たす。この結果、脈動を防止して液体注出時の状態が安定した状態になる。
【００１８】
請求項３、４によると、脈動を防止して液体注出時の状態が極めて安定した状態になる。
【００１９】
請求項５により、予め注出口１０が形成された詮体１をペットボトルや瓶等の容器口部に装着して液体注出時の脈動を防止することができる。
【００２０】
請求項６、７によると、予め注出口１０が形成された詮体１として使用する場合でも、脈動を防止して液体注出時の状態を極めて安定した状態にすることが可能である。
【００２１】
このように本発明によると、特に、注出詮のスコアを破断して形成する注出口において、液体注出時の脈動や跳ねを防止し、多量の液体を注出する際でも安定した注出が可能になり、予め注出口１０が形成された詮体１として使用することもできるなどといった優れた効果を奏するものである。
【発明を実施するための最良の形態】
【００２２】
本発明の最良の形態は、注出口１０の形に添って形成されるスコア３を詮体１の天板２に設け、該スコア３を破断することで開口される注出口１０において、詮体１の天板２に、前記天板２の周囲縁近傍２Ａを残した略中央部位２Ｂを蓋体Ｑ方向に突出せしめた突出部４を設ける。該突出部４に、前記注出口１０の長手両端部が該天板２の周囲縁近傍２Ａに至るように前記スコア３を設ける。該スコア３により形成される注出口１０の形状を縦長の略直線形状に形成する。更に、注出口１０使用時の下端部を注ぎ孔１１とし、該注ぎ孔１１を直線部分の幅よりも拡開した略円形状に形成し、且つ、注出口１０使用時の上端部を息継ぎ部１２とし、該息継ぎ部１２の幅を直線部分の幅よりも僅かに拡開するように形成することで、当初の目的を達成するものである。
【実施例】
【００２３】
本発明注出口は、例えば図１に示す如く、容器口部Ｐに装着する詮体１の天板２に、注出口１０の形に添ったスコア３を設け、該スコア３を破断することで開口される注出口１０から注出する際の液体の脈動を防止する構造として研究されたものである。また、本発明の脈動防止効果は、図１０に示す如く、予め注出口１０を形成した詮体１として、ペットボトルや瓶の口部に装着して使用することも可能である。以下、図面を参照して本発明の実施例を詳細に説明する。
【００２４】
図１は、所謂ヒンジ付きキャップとして使用されるキャップの詮体１に形成した注出口１０を示す実施例であり、容器口部Ｐに装着する合成樹脂製の詮体１と、ヒンジ７を介して詮体１を施蓋する蓋体Ｑとからなる。この詮体１は、天板２周囲に注出筒体５を有し、注出口１０の形に添って形成されるスコア３を詮体１の天板２に設け、プルリング６を持ってスコア３を破断することで開口されるものである。この詮体１の天板２に、蓋体Ｑ方向に突出する突出部４を設け（図２参照）、該突出部４に設けたスコア３を破断して、縦長状の注出口１０を形成する（図１参照）。
【００２５】
この突出部４は、前記天板２の周囲縁近傍２Ａを残した略中央部位２Ｂを液体の注出方向に突出せしめることで設けている（図３参照）。更に、この突出部４にスコア３を設ける際に、注出口１０の長手両端部が天板２の周囲縁近傍２Ａに至るように設けている。このとき、注出口１０使用時の長手下端部を注ぎ孔１１とし、注出口１０使用時の長手上端部を息継ぎ部１２とする。
【００２６】
詮体１の天板２に、液体の注出方向に突出する突出部４を設けたのは、試験１の結果に基づくものである（図４参照）。この試験１は、詮体１に形成した天板２を、従来形状の谷タイプと平タイプ、更に本発明突出部４の山タイプとで形成し、ペットボトルに装着して液体（醤油）を注出し、脈動幅と液体の跳ねを比較した試験である。この試験では、注出口１０の形状を図３に示す形状に統一し、１リットルのペットボトルを傾けて息継ぎが生じる流速で液体を注ぎ出し、図４に示す脈動幅（縦幅ａ）と、図５に示す流出幅（横幅ｂ）を測定した。いずれの幅も、流出した液体の3cm下方の幅を測定している。
【００２７】
この結果を表１、表２に示す。試験の評価は、液体の脈動幅、液体の跳ね、息の継ぎ方、まとまり具合を総合的に判断し、◎は非常に良い、○は良い、△はふつう、×は悪い、で評価した。
【表１】
2006264739.tif 000003
表1は、従来形状の谷タイプと平タイプ（180゜）の結果を示している。この結果、従来の谷タイプでは、脈動幅（縦幅ａ）が28mmで、表２に示す山タイプの脈動幅（縦幅ａ）10〜14 mmの２倍以上にもなり、流出時の液体の跳ねも多かった。一方、従来の平タイプは、谷タイプよりもまとまって流出するようになったが、脈動幅（縦幅ａ）は大きく、液体の跳ねも多くなるといった結果になっている。
【００２８】
【表２】
2006264739.tif 000004
表２は、本発明突出部４の山タイプの結果を示している。この山タイプは更に、突出部４の角度や形状を変えた（90゜）タイプ、（150゜）タイプ、半球タイプ、円錐タイプを設け、各山タイプの試験を行った。この結果、本発明の山タイプでは、突出部４の角度や形状にかかわらず、脈動幅（縦幅ａ）が谷タイプや平タイプよりも小さくなっていることがわかる。また、液体がまとまって流出し、跳ねも少なかった。
【００２９】
試験１において、注出口１０の使用時における上下端部の状況を更に観察してみると、従来の谷タイプでは、息継ぎのたびに、注出口１０の上端部から更に上方の天板２に液体が伝わっていることが分かった（図６（イ）参照）。この結果、液体の流れが注出口１０の下端部で二つに分かれるので、同図（ロ）に示す山タイプよりも振幅が２倍以上に広くなっていた。一方、同図（ロ）の山タイプでは、息継ぎをしても注出口１０の上端部から上方の天板２に液体が伝わることがなく、常に全体が一つにまとまった流れになっている。この結果を示す連続写真を図７に示す。同図中（イ）は従来の谷タイプ、（ロ）は本発明の山タイプを示しており、注出した液体は醤油である。
【００３０】
次に、突出部４と注出筒体５との関係について試験２を行った（図８、図９参照）。この試験２は、注出筒体５の上端から突出部４の上面までの長さ（ｈ）を変えて液体を注出し、図４に示す脈動幅（縦幅ａ）と、図５に示す（横幅ｂ）とを測定したものである。その結果を表３と表４に示す。尚、この試験における測定条件は、前記試験１と同様である。
【表３】
2006264739.tif 000005
表３は、突出部４の上面が注出筒体５の上端よりも上方へ2.5mm突出した状態を計測した結果を示している（図８参照）。この結果、注出筒体５がなくても液体のまとまりが良く、脈動幅（縦幅ａ）が小さいことが分かった。
【００３１】
【表４】
2006264739.tif 000006
表４は、注出筒体５の上端よりも突出部４の表面が下方に位置する状態で計測した結果を示している（図９参照）。この結果、突出部４の高さと注出筒体５の上端とが一致する（０）の状態から、突出部４が注出筒体５の上端より3mm低くなった状態（-3.0）の状態までについては脈動幅（縦幅ａ）が15mmと小さく、（横幅ｂ）も6 mm〜7 mmと非常に良い評価になっている。
【００３２】
突出部４と注出筒体５との関係についての試験２の結果、本発明の脈動防止効果や跳ね防止効果は、天板２に設けた突出部４と縦長の注出口１０の形状とが必要であり、注出筒体５の一般的な使用は妨げにならないものの、キャップの寸法規格上、あまり長い注出筒体５は、脈動防止に適していないことが分かった。
【００３３】
次に、注出口１０の形状について試験３を行った（表５、表６参照）。この試験は、縦長状の注出口１０において最も有効な形状を求めて行った試験である。尚、この試験における測定条件は、前記試験１、２と同様である。
【００３４】
【表５】
2006264739.tif 000007
表５は、本発明の山タイプに各形状の注出口１０を形成し、液体注出時の脈動幅や跳ね等を計測したものである。この結果、注出口１０の最適形状は、表５に示すNo.９の形状であることが分かった。すなわち、注出口１０の注ぎ孔１１を直線部分の幅よりも拡開した略円形状に形成し、且つ、注出口１０使用時の上端部を息継ぎ部１２とし、該息継ぎ部１２の幅を直線部分の幅よりも僅かに拡開するように形成した形状である（図３参照）。また、No.９の効果は、詮体１成形時に形成される成形孔を注出口１０の長手中央に設けたNo.８の場合でも劣化しないことが確認できた（表５参照）。更に、注出口１０の注ぎ孔１１を直線部分の幅よりも拡開した略円形状に形成したNo.７の場合でも、流出量が若干、劣るだけで、液体注出時の脈動や跳ねを防止している。
【００３５】
また、突出部４に形成されている注出口１０が基本的に縦長状である場合、どのような形状でも液体の跳ねを防止できることが分かった。特に、注出口１０の形状を直線的な略帯状に形成したNo.５の形状、注ぎ孔１１と息継ぎ部１２とを直線部分の幅よりも拡開した略円形状に形成したNo.６の形状などは、脈動幅（縦幅ａ）が小さく、液体の跳ねも少なくなっており、良い評価が得られている。
【００３６】
【表６】
2006264739.tif 000008
表６は、従来の谷タイプに各形状の注出口１０を形成し、液体注出時の脈動幅や跳ね等を計測したものである。この結果、注出口１０の形状が同一でも、本発明の山タイプと同じ効果は得られないことが証明された。
【００３７】
このように、前記試験１乃至３の結果によると、本発明注出口は、注出詮のスコアを破断して形成する注出口において、液体注出時の脈動や跳ねを防止できることが証明されている。
【００３８】
また、本発明注出口は、予め注出口１０を形成した詮体１として、ペットボトルや瓶の口部に装着しても使用可能である。すなわち、容器口部Ｐに装着する詮体１に形成する注出口１０としても使用できる（図１０参照）。図示例では、容器口部Ｐに外嵌する詮体１を設け、天板２の周囲に注出筒体５を設けた実施例を示しているが、容器口部Ｐの内部に挿入するタイプ、あるいは、天板２の周囲に注出筒体５を設けていないタイプの詮体１でも良く、詮体１の形状や材質は任意に変更することができる。この実施例においても、詮体１の天板２に、キャップ方向に突出する突出部４を設け、該突出部４に縦長状の注出口１０を形成するものである。
【００３９】
この突出部４も、また、前述したスコア３を除去して形成する注出口１０と同様に、天板２の周囲縁近傍２Ａを残した略中央部位２Ｂを前記キャップ方向に突出せしめることで設けられ、注出口１０の注ぎ孔１１と息継ぎ部１２とが該天板２の周囲縁近傍２Ａに至るように形成する。
【００４０】
更に、注出口１０の形状も、縦長の略直線形状に形成すると共に、注出口１０使用時の下端部を注ぎ孔１１とし、該注ぎ孔１１を直線部分の幅よりも拡開した略円形状に形成した形状が最適である。
【００４１】
尚、本発明における図示例の各構成は、本発明の一実施例に過ぎず、詮体１のスコア３を破断して形成する注出口１０や、予め形成しておく注出口１０などに適応することは勿論、詮体１の各形状や寸法等の設計変更、材質の転換及び使用態様の変更など、本発明の要旨を変更しない範囲において自由に変更することができるものである。
【図面の簡単な説明】
【００４２】
【図１】本発明の一実施例を示す分解斜視図である。
【図２】本発明の一実施例を示す側断面図である。
【図３】本発明の一実施例を示す平面図である。
【図４】本発明の（縦幅ａ）を測定する位置を示す図である。
【図５】本発明の（横幅ｂ）を測定する位置を示す図である。
【図６】注出口の使用時における上下端部の状況を示す図であり、（イ）は従来の谷タイプ、（ロ）は本発明の山タイプを示す。
【図７】本発明と従来品の注出状況を示す連続写真で、（イ）は従来の谷タイプ、（ロ）は本発明の山タイプを示す。
【図８】表３に示すデータを測定した突出部の側断面図である。
【図９】表４に示すデータを測定した突出部の側断面図である。
【図１０】本発明の他の実施例を示す斜視図である。
【符号の説明】
【００４３】
Ｐ  容器口部  
Ｑ  蓋体
１  詮体
２  天板
３  スコア
４  突出部
５  注出筒体
６  プルリング
７  ヒンジ
１０  注出口
１１  注ぎ孔
１２  息継ぎ部
【図１】
2006264739.tif 000009
【図２】
2006264739.tif 000010
【図３】
2006264739.tif 000011
【図４】
2006264739.tif 000012
【図５】
2006264739.tif 000013
【図６】
2006264739.tif 000014
【図７】
2006264739.tif 000015
【図８】
2006264739.tif 000016
【図９】
2006264739.tif 000017
【図１０】
2006264739.tif 000018